(57)【要約】      （修正有）【課題】フレキシブルスクリーンを使用し且つ可視領域の割合が高いディスプレイモジュールを提供する。【解決手段】ディスプレイモジュール１０は、基板２０と、フレキシブルスクリーンとを備え、フレキシブルスクリーンは、少なくとも二つの非表示領域と、発光素子アレイを有する有効領域とを備え、基板２０は、第一曲率を有する正面２２と、正面２２に対向する背面２４と、正面２２の側方に位置し且つ第二曲率を有する少なくとも二つの側面２６、２８、２９とを備え、第二曲率が第一曲率よりも大きい。【選択図】図２
2019070829.tif 000002
【特許請求の範囲】
【請求項１】
第一曲率を有する正面と、前記正面に対向する背面と、前記正面の側方に位置し且つ第二曲率を有する少なくとも二つの側面とを備え、前記第二曲率が前記第一曲率よりも大きい基板と、
少なくとも二つの非表示領域と、発光素子アレイを有する有効領域とを備えるフレキシブルスクリーンと、を備え、
前記フレキシブルスクリーンは、広げられた際に、四つの角部が面取り部を備える矩形を呈しており、
前記有効領域は、前記正面に貼り付けられる本体部と、前記側面に貼り付けられる少なくとも二つのエッジ部とを備え、前記少なくとも二つの非表示領域が前記背面に延びるディスプレイモジュール。
【請求項２】
前記有効領域は二つのエッジ部を備え、前記背面に延びる前記非表示領域は前記二つのエッジ部に沿って前記背面に延びることを特徴とする請求項１に記載のディスプレイモジュール。
【請求項３】
前記有効領域は三つのエッジ部を備え、二つのエッジ部が互いに平行し、残りのエッジ部が前記二つのエッジ部に垂直であり、前記フレキシブルスクリーンは三つの非表示領域を備え、前記背面に延びる前記非表示領域は前記三つのエッジ部に沿って前記背面に延びることを特徴とする請求項１に記載のディスプレイモジュール。
【請求項４】
前記正面は平面、凹面または凸面であり、前記側面は前記正面に平滑に接続されることを特徴とする請求項１〜３のいずれかに記載のディスプレイモジュール。
【請求項５】
前記正面及び前記背面のぞれぞれは平面であり、前記側面は前記正面及び前記背面のそれぞれに平滑に接続される円弧面であることを特徴とする請求項１〜３のいずれかに記載のディスプレイモジュール。
【請求項６】
前記基板は、変形後形状を保つことができる硬質平板が折り曲げられた基板であることを特徴とする請求項１に記載のディスプレイモジュール。
【請求項７】
前記基板は、電池であることを特徴とする請求項１に記載のディスプレイモジュール。
【請求項８】
前記非表示領域に設けられるコントローラをさらに備え、前記コントローラが前記背面に位置することを特徴とする請求項１に記載のディスプレイモジュール。
【請求項９】
前記背面には、前記コントローラを収納する収納溝が設けられることを特徴とする請求項８に記載のディスプレイモジュール。
【請求項１０】
隣接する二つの前記非表示領域の間には、切欠き部が形成されることを特徴とする請求項１に記載のディスプレイモジュール。
【請求項１１】
前記発光素子アレイは、交差する制御線とデータ線とを備え、前記エッジ部内に位置し且つその長手方向に延びるデータ線あるいは制御線は、折り曲げられてから隣接するエッジ部を越えて前記隣接するエッジ部に接続される非表示領域にまで延びることを特徴とする請求項１０に記載のディスプレイモジュール。
【請求項１２】
請求項１〜１１のいずれかに記載のディスプレイモジュールを備える電子装置。
【発明の詳細な説明】
【技術分野】
【０００１】
本発明は、ディスプレイモジュールに関し、特に、可視領域の割合が高いディスプレイモジュールに関する。
【背景技術】
【０００２】
液晶ディスプレイ（ＬＣＤ）パネルは、平行な二つの矩形の硬質ガラス基板の間に液晶が設けられ、下方のガラス基板に薄膜トランジスタ（ＴＦＴ）が設けられ、上方のガラス基板にカラーフィルタが設けられ、ＴＦＴにおける信号や電圧の変化によって液晶分子の配向方向を制御し、そして、表示の目的を達成するように各画素における偏光が出射するか否かを制御する構造である。液晶が液状であるため、上方と下方のガラス基板の周囲には、液晶を密封するようにシール手段、例えば、シール剤が設けられる結果、液晶パネルのエッジに画像が表示されないボーダーがある。
【０００３】
技術の発展につれて、硬質ガラス基板に設けられた二層の電極と該二層の電極の間に挟まれた一層の有機材料とを備えた有機発光ダイオード（ＯＬＥＤ）パネルが現れる。有機材料が自在に流れないため、シールのためのボーダーが設けられる必要はない。従来の一種のＯＬＥＤパネルは、真ん中にある矩形の有効表示領域と、有効表示領域内の制御線及びデータ線を対応するコントローラに接続するための、周囲にある配線領域とを備える。配線領域が表示機能を有しないため、ＯＬＥＤパネル全体に対する有効表示領域の割合、即ち、可視領域の割合が依然として低い。最近、現れたフレキシブルＯＬＥＤスクリーンによって、可視領域の割合を大幅に向上させる可能性が高くなる。
【発明の概要】
【０００４】
本発明の実施形態は、フレキシブルスクリーンを使用し且つ可視領域の割合が高いディスプレイモジュールを提供する。
【０００５】
このディスプレイモジュールは、基板と、フレキシブルスクリーンとを備える。前記基板は、第一曲率を有する正面と、前記正面に対向する背面と、前記正面の側方に位置し且つ第二曲率を有する少なくとも二つの側面とを備え、前記第二曲率が前記第一曲率よりも大きい。前記フレキシブルスクリーンは、少なくとも二つの非表示領域と、発光素子アレイを有する有効領域とを備える。前記有効領域は、前記正面に貼り付けられる本体部と、前記側面に貼り付けられる少なくとも二つのエッジ部とを備え、前記少なくとも二つの非表示領域が前記背面に延びる。
【０００６】
本発明の実施形態は、上記ディスプレイモジュールを備える電子装置をさらに提供する。
【０００７】
上記技術特徴によれば、本発明のディスプレイモジュールの四つのエッジに画像が表示されることができ、ボーダーが見えないため、ディスプレイモジュールの可視領域の割合を向上させる。ディスプレイモジュールが携帯電話等の電子装置内に装着された場合、電子装置は、四つのエッジにサイドフレームが設けられないように設計されることが可能であるため、魅力を向上させる。
【図面の簡単な説明】
【０００８】
以下の添付図面は、実施形態と一緒に本発明を詳細に説明するためのものである。添付図面に示される各素子は、実際のサイズ及び割合を表するものではないと理解される。説明を明瞭にするために示される概略図は、本発明を制限するものであると理解されてはならない。
【図１】本発明の第一実施形態によるディスプレイモジュールの概略図である。
【図２】別の視角から見たディスプレイモジュールの部分分解概略図である。
【図３】組み立てられる前のディスプレイモジュールの広げられたフレキシブルスクリーンの概略図である。
【図４】図３のフレキシブルスクリーンの部分拡大概略図である。
【図５】図１のディスプレイモジュールのＶ−Ｖ線に沿った概略断面図である。
【図６】図３の視角と同様なものから視た、本発明の第二実施形態に係るディスプレイモジュールの概略図である。
【図７】本発明の第三実施形態に係る、組み立てられたディスプレイモジュールの概略背面図である。
【図８】図７のディスプレイモジュールの概略断面図である。
【図９】本発明の第四実施形態に係るディスプレイモジュールの概略断面図である。
【図１０】本発明の第五実施形態に係るディスプレイモジュールの部分概略断面図である。
【図１１】本発明の第六実施形態に係るディスプレイモジュールの概略断面図である。
【発明を実施するための形態】
【０００９】
本発明の目的、技術手段及び利点を一層明瞭にするために、以下に、若干の実施形態及び図面を参照しながら、本発明を一層詳しく説明する。ここで記載される実施形態は、本発明を説明するためのものだけであるが、本発明を制限するものではないと理解される。
【００１０】
図１及び図２は、本発明の第一実施形態による、組み立てられたディスプレイモジュール１０の概略構造図である。ディスプレイモジュール１０は、基板２０と、フレキシブルスクリーン３０と、フレキシブル回路基板４０と、集積化コントローラ５０とを備える。基板２０は、長方形を呈しており、正面２２と、正面２２に対向する背面２４と、基板２０の長手方向に延びる二つの第一側面２６と、基板２０の短手方向に延びる第二側面２８及び第三側面２９とを備える。正面２２及び背面２４は、互いに平行な平面である。図５に一層明らかに示すように、第一側面２６及び第二側面２８は、正面２２及び背面２４のそれぞれに接する半円筒面である。第三側面２９は、正面２２及び背面２４に垂直な平面である。基板２０は、長さ（第二側面２８と第三側面２９との間の最も遠い距離）がＬであり、幅（二つの第一側面２６の間の最も遠い距離）がＷである。
【００１１】
図３に示すように、フレキシブルスクリーン３０は、広げられた際に、四つの角部が面取り部を備える矩形を呈しており、発光素子アレイ３１を有する有効領域３６と略台形を呈する三つの非表示領域３８とを備える。有効領域３６は、長方形の本体部３６ａと、本体部３６ａの長辺から外へ延びる二つの第一エッジ部３６ｂと、本体部３６ａの短辺から外へ延びる第二エッジ部３６ｃとを備える。第一エッジ部３６ｂは、長方形を呈しており、長さが本体部３６ａの長辺と同様である。第二エッジ部３６ｃは、長方形を呈しており、長さが本体部３６ａの短辺と同様である。第二エッジ部３６ｃと隣接した二つの第一エッジ部３６ｂのそれぞれとの間には、切欠き部３６ｄが形成される。三つの非表示領域３８は、それぞれ、対応するエッジ部３６ｂ及び３６ｃから外へ延びる。本体部３６ａと二つの第一エッジ部３６ｂとの幅の総計は基板２０の幅Ｗよりも大きいであるが、本体部３６ａの長さと第二エッジ部３６ｃの幅との総計は基板２０の長さＬよりも大きいである。
【００１２】
また、図１−図３に示すように、フレキシブルスクリーン３０は、広げられた際に、四つの第一角部３７を備える矩形であり、且つ各第一角部３７は、三角形の面取り部３７aを有する。基板２０は、第二角部２１を有し、第二角部２１は、フレキシブルスクリーン３０の第一角部３７よりカバーされる。発光素子アレイ３１、すなわち、画素アレイは、交差する（この実施方式において、互いに直交する）ゲート線３２及びデータ線３３と、隣接するゲート線３２の間及び隣接するデータ線３３の間に設けられる制御回路３４と、対応する制御回路３４に接続される発光ユニット３５、例えば有機発光ダイオードとを備える。制御回路３４は、対応するゲート線３２及びデータ線３３に接続され、発光ユニット３５のオン・オフを制御するように、対応する制御コマンドを受信する。ゲート線３２は、奇数行及び偶数行がそれぞれ二つの第一エッジ部３６ｂを越えて対応する非表示領域３８（図面において、符号はそれぞれ３８ａ及び３８ｂである）までに延びる。データ線３３は、第二エッジ部３６ｃを介して対応する非表示領域３８（図面において、符号は３８ｃである）に延びる。
【００１３】
図４に示すように、第一エッジ部３６ｂ内のデータ線３３は、本体部３６ａへ曲折し、さらに、第二エッジ部３６ｃを越えて対応する非表示領域３８ｃまでに延びる。第二エッジ部３６ｃ内の奇数行及び偶数行のゲート線３２（図面において、一つのゲート線のみ示す）は、本体部３６ａへ曲折し、それぞれさらに二つの第一エッジ部３６ｂを越えて対応する非表示領域３８ａ及び３８ｂまでに延びる。このように、すべてのデータ線３３は、非表示領域３８ｃ内に延び、奇数行及び偶数行のゲート線３２は、それぞれ非表示領域３８ａ及び３８ｂ内に延びる。
【００１４】
組み立ての際に、有効領域３６と基板の正面２２との中点を揃え、両者の長辺を互いに平行させ、そして、非表示領域３８ａ及び３８ｂをそれぞれ二つの第一側面２６に沿って背面２４に折り曲げ、且つ、接着等の手段で背面２４に固定する。更に、非表示領域３８ｃを第二側面２８に沿って背面２４に折り曲げ、そして、同様に接着等の手段で背面２４に固定する。非表示領域は、面取り部のため、背面に折り曲げられた後、互いに重なりません。しかしながら、他の実施方式において、重なってもよい。このように、図１及び２に示す構造が形成された。
【００１５】
図５に示すように、本体部３６ａは基板の正面２２を覆い、第一エッジ部３６ｂは第一側面２６の弧長の半分を覆う。同様に、第二エッジ部３６ｃは第二側面２８の弧長の半分（図示せず）を覆う。図１に示すように、フレキシブル回路基板４０は、三つの非表示領域３８ａ、３８ｂ及び３８ｃ内のゲート線３２及びデータ線３３に接続される。集積化コントローラ５０はフレキシブル回路基板４０に設けられ、ゲート線３２及びデータ線３３に接続されており、ゲート線３２及びデータ線３３に上記制御コマンドを発信するためのものである。このように、ディスプレイモジュール１０が形成された。集積化コントローラ５０は、フレキシブル回路基板４０における基板２０に対向する表面に設けられてもよいと理解される。この時、背面２４における集積化コントローラ５０に対応する位置には、集積化コントローラ５０を収納するための収納溝（図示せず）が設けられる。
【００１６】
図１に示すように、正面から組み立てられたディスプレイモジュール１０を見たら、ディスプレイモジュール１０の四つのエッジに画像が表示されることができ、ボーダーが見えないため、ディスプレイモジュール１０の可視領域の割合を向上させる。二つの第一側面２６の曲率半径の低減に伴って、第一エッジ部３６ｂ及び第二エッジ部３６ｃが折り曲げられた後、上記切欠き部３６ｄは小さくなり、且つ、上記曲率半径が十分に小さいである場合、切欠き部３６ｄは、ユーザが見るスクリーンに影響を全く及ぼさない。ディスプレイモジュール１０が携帯電話内に装着された場合、携帯電話は、四つのエッジにサイドフレームが設けられないように設計されることが可能であるため、魅力を向上させる。言うまでもなく、ディスプレイモジュール１０は、タブレットコンピュータ、一体型コンピュータ、ディスプレイ、テレビなどの電子装置に適用されてもよい。ディスプレイモジュール１０は、正方形あるいは他の形状であってもよく、特定の電子装置の要求に応じて定められてもよいと理解される。第一エッジ部３６ｂ及び第二エッジ部３６ｃは、それぞれ、第一側面２６及び第二側面２８の弧長の半分以下または以上を覆ってもよく、特定の電子装置の設計に応じて定められてもよいと理解される。
【００１７】
図６は、本発明の第二実施方式に係るディスプレイモジュール１１を示し、フレキシブルスクリーン及びコントローラだけは示される。ディスプレイモジュール１１は、上記集積化コントローラ５０の代わりに三つのコントローラを備えるという点で、第一実施方式に係るディスプレイモジュール１０と相違する。これらのコントローラは、二つのゲート線コントローラ６２及び一つのデータ線コントローラ６４であり、それぞれ、奇数行のゲート線３２、偶数行のゲート線３２及びデータ線３３に接続される。フレキシブル回路基板４０は、三つのコントローラに接続され、且つ、該ディスプレイモジュールに接続されるためのインタフェース（図示せず）を提供する。
【００１８】
図７及び図８は、本発明の第三実施方式に係るディスプレイモジュール１２を示す。ディスプレイモジュール１２は、フレキシブルスクリーンのゲート線３２が基板２０の長手方向に平行な非表示領域３８ａに延びるという点で、第二実施方式に係るディスプレイモジュール１１と相違する。非表示領域３８ａが折り曲げられ且つ基板の背面２４に固定され、有効領域における非表示領域３８ａに対向するエッジ部３６ｂは依然として側面２６に貼り付けられる。この場合、ディスプレイモジュール１２は、ゲート線コントローラ６２が一つだけでよい。この実施方式において、第一実施形態によって達した、四つのエッジに画像が表示されることができるという効果も奏する。
【００１９】
上記の第一乃至第三実施方式において、各ゲートドライバは、外付けのシリコンウェハに基づいて製造されたドライバに限定されなく、ゲートドライバオンアレイ（Ｇａｔｅ  ｄｒｉｖｅｒ  ｏｎ  Ａｒｒａｙ、ＧＯＡ）技術などで発光素子アレイの基板に製造されたゲートドライバであってもよいと理解される。
【００２０】
図９は、本発明の第四実施方式に係るディスプレイモジュール１３を示し、このディスプレイモジュール１３は、基板２０’の長手方向に延びる側面のうち、一方の側面２６だけが半円筒面であり、他方の側面２６が平面であるという点で、第三実施方式に係るディスプレイモジュール１０と相違する。有効領域３６は、湾曲する第一エッジ部３６ｂを一つだけ備える。有効領域３６の本体部の長辺３６ｂ’及び短辺と、基板の二つの平面である側面２６’及び２９（符号２９は図１に示される）とは揃えられる。
【００２１】
また、図１０に示すように、上記第一乃至第四実施方式に係る基板は、変形後形状を保つことができる硬質平板、例えば薄い鋼板２７が折り曲げられたものであってもよい。この場合、鋼板２７は、半包囲構造が形成でき、中空のチェンバ２９が他の部品、例えば該ディスプレイモジュールが適用された電子装置の回路板を収納するためであってもよい。
【００２２】
また、上記の第一乃至第四実施方式に係る基板は、電池であってもよい。この場合、電池は、対応する実施形態に係る基板の形状になるように設計される。この場合、該ディスプレイモジュールが適用された電子装置の厚さを低減することができる。
【００２３】
また、以上に挙げられた各実施方式に係る基板は、折り曲げられてもよく、このため、図１１に示すように、フレキシブルスクリーンが設けられた正面２２は、一定の曲率で窪むことができる。一定の曲率で突起してもよく、または、略球面状に窪んであるいは突起してもよいと理解される。要するに、凹面あるいは凸面であってもよく、且つ、曲率が側面の曲率よりも小さい。また、該側面は、必ずしも該正面及び背面のそれぞれに接する半円筒面ではなく、フレキシブルスクリーンが鋭い角によって損なわないように該正面あるいは背面に平滑に接続されればよい。正面は平面である場合、曲率がゼロであるため、以上のすべての実施方式を参照して分かるように、基板の正面の曲率が基板の側面の曲率よりも小さいものでさえすれば、本発明の要旨の範囲に属する。
【００２４】
以上に挙げられた各実施方式において、好ましくは、フレキシブルスクリーン３０における基板２０から離れた表面には、タッチをセンシングする機能を有するタッチ層が設けられてもよい。
【００２５】
以上は、本発明の実施方式に過ぎなく、本発明を制限するためのものではない。本発明の精神及び要旨を逸脱しない場合行われる変更、均等代替及び改善などは、いずれも本発明の範囲に属するものである。
【図１】
2019070829.tif 000003
【図２】
2019070829.tif 000004
【図３】
2019070829.tif 000005
【図４】
2019070829.tif 000006
【図５】
2019070829.tif 000007
【図６】
2019070829.tif 000008
【図７】
2019070829.tif 000009
【図８】
2019070829.tif 000010
【図９】
2019070829.tif 000011
【図１０】
2019070829.tif 000012
【図１１】
2019070829.tif 000013